(57)【要約】【課題】ロールシャッタータイプの建物開閉用の電動システムにおいて、従来は、寸法制限のため、実施が困難だった、三相誘導電動機によるシステムの場合の性能に匹敵する、単相電源で二相誘導電動機による制御システムを得る。【解決手段】主巻線（２）と補助巻線（３）と進相コンデンサ（１１）とを有する二相誘導電動機（１）を含むとともに、速度可変装置（５）が接続されることを特徴とする、ロールシャッタータイプの建物開閉用の電動システム。速度可変装置（５）が、電力変換器の形のスカラー制御式であって、変化の少なくとも一つの決まった幅について電圧実効値対周波数比の一定のＶｅｆｆ／ｆ比を確保することができるように制御される。さらに、電磁ブレーキを備えて、速度可変装置（５）と連携して最適なブレーキ動作をする。【選択図】図１
2009535011.tif 000002
【特許請求の範囲】
【請求項１】
ロールシャッタータイプの建物開閉用の電動システムであって、二つの巻線（２）、（３）を有する二相誘導電動機を含むとともに該二相誘導電動機に速度可変装置（５）が接続されることを特徴とする、ロールシャッタータイプの建物開閉用の電動システム。
【請求項２】
前記速度可変装置（５）が、電力変換器の形のスカラー制御式であって、変化の少なくとも一つの決まった幅について電圧実効値対周波数比の一定のＶｅｆｆ／ｆ比を確保することができるように制御されることを特徴とする、請求項１に記載のロールシャッタータイプの建物開閉用の電動システム。
【請求項３】
請求項１または請求項２に記載のロールシャッタータイプの建物開閉用の電動システムにおいて、電磁ブレーキが結びつくとともに、
・  前記速度可変装置（５）が、前記誘導電動機（１）に、少なくとも始動の初期段階において、電磁ブレーキの解除を確保することができるしきい値の電圧Ｖｓおよび決まった電源周波数ｆｓを受けさせることができるように、制御されることと、
・  この初期段階を超えると、前記速度可変装置が、場合に応じて電圧あるいは周波数を、実効値電圧対周波数比の守るべき定数の値に達するまで変化させることができるように定義されることと
を特徴とする、ロールシャッタータイプの建物開閉用の電動システム。
【請求項４】
前記速度可変装置（５）が、あらかじめ定義される最大電圧ＶＭに達するまで実効値電圧対周波数比の一定の値を守ることができるように制御されることを特徴とする、請求項１〜３のいずれか一つに記載のロールシャッタータイプの建物開閉用の電動システム。
【請求項５】
前記実効値電圧対周波数比の定数が、誘導電動機が接続される電源ライン（４）の実効値電圧対周波数に等しいことを特徴とする、請求項１〜４のいずれか一つに記載のロールシャッタータイプの建物開閉用の電動システム。
【請求項６】
あらかじめ定義される最大電圧ＶＭが、誘導電動機の電源ラインの実効値電圧に等しいことを特徴とする、請求項５に記載のロールシャッタータイプの建物開閉用の電動システム。
【請求項７】
前記速度可変装置が、複数のダイオードを有する整流回路（６）とＩＧＢＴあるいはＭＯＳタイプの電力スイッチング素子を有するインバータ（７）とから成る電力変換器によって定義されることを特徴とする、請求項１〜６のいずれか一つに記載のロールシャッタータイプの建物開閉用の電動システム。
【請求項８】
前記整流回路（６）が四つのダイオードを有するブリッジ回路（８）から成り、一方インバータ（７）は二つの電力スイッチング素子（１０、１０’）から成り、該二つの電力スイッチング素子がダイオードのブリッジ回路（８）の端子に接続され、ＩＧＢＴあるいはＭＯＳタイプの二つの直列の電力スイッチング素子（１０ａ、１０ｂ；１０’ａ、１０’ｂ）を有し、主巻線（２）と補助巻線（３）のおのおのが、二つの電力スイッチング素子（１０、１０’）のスイッチングセルの中間にそれぞれ接続されることを特徴とする、請求項７に記載のロールシャッタータイプの建物開閉用の電動システム。
【請求項９】
第三のスイッチングセル（１０’’）を備え、該第三のスイッチングセルが二つの直列電力スイッチング素子（１０’’ａ、 １０’’ｂ）から成り、該二つの電力スイッチング素子の間に主巻線（２）および補助巻線（３）が接続されるようになることを特徴とする、請求項８に記載のロールシャッタータイプの建物開閉用の電動システム。
【請求項１０】
前記巻線（２）、（３）が同一であることを特徴とする、請求項１〜９のいずれか一つに記載のロールシャッタータイプの建物開閉用の電動システム。
【請求項１１】
前記巻線（２）、（３）が同一でないことを特徴とする、請求項１〜９のいずれか一つに記載のロールシャッタータイプの建物開閉用の電動システム。
【請求項１２】
前記二相誘導電動機が、ロールシャッターのシャッターカーテンの巻取り管の中に収まることができるように管状のタイプであることを特徴とする、請求項１〜１１のいずれか一つに記載のロールシャッタータイプの建物開閉用の電動システム。
【発明の詳細な説明】
【技術分野】
【０００１】
発明は、ロールシャッタータイプの建物開閉システムの駆動のための二相誘導電動機の装置に関するものである。
【０００２】
本発明は、建物のための開閉システムの分野に関するものであり、また、とりわけ、ロールシャッターの開閉システムならびにその電動化の分野に関するものである。
【０００３】
多くの電動化された建物開閉システムが今やすでに既知であり、そのシステムはそのうえシステムの開閉制御を助けるリモートコントロール装置と結びついている。
【背景技術】
【０００４】
ロールシャッターの特定な分野においては、駆動の電動機は、ロールシャッターのシャッターカーテンが、その上に巻き付くようになるのに適するように予定される巻取り管の内部に配置されるように、管状型である。
【０００５】
その駆動用電動機は、通常は、位相差を与える進相コンデンサ誘導電動機であって、主巻線と補助巻線を有し、これら両巻線が、誘導電動機の回転方向の反転だけでなく、またさらに、コンデンサによって発生する電流の位相差を通して、この誘導電動機のロータの部位に駆動トルクを発生することも可能にするものである。補助巻線は、好ましくは、主巻線と異なり、異なる抵抗値とインダクタンスとを有し、このことから、誘導電動機の始動を容易にするのである。
【０００６】
製造上のさまざまな制約の理由から、主巻線と同一の補助巻線を用いる、不完全な単相誘導電動機を考え出すものもいる。このことは、誘導電動機に、より大きなコンデンサに助けを求めることを余儀なくさせるのであり、これによっていっそう発熱するのである。もちろん、そのような誘導電動機の合成絶縁素材製カバー内へのカプセル詰めおよびロールシャッターの巻取り管の中へ入れ込むことは、産出されるカロリーの排出を容易にはしない。
【０００７】
このタイプの誘導電動機の働きに話を戻すと、ステータ電流は、ステータの中に回転する磁界を作り出すが、一方、ロータは、ステータの磁界によって誘導される電流が駆け巡る短絡導体から成る。
【０００８】
そのようなコンデンサ誘導電動機の始動トルクは、コンデンサの値による。いずれにせよ、このタイプの誘導電動機は、定められた回転速度を超えてしか、公称の電源条件において、最適な動作では機能しない。
【０００９】
ここで明らかなことには、ロールシャッターへのそれらの応用の範囲内で、そのようなロールシャッターのシャッターカーテンの巻き解きについて、ほとんど電力を必要とせず、またシャッターカーテンの巻取り管の回転への慣性のみに打ち勝てばよいという限りにおいて、少ない始動トルクで十分であるが、問題点はシャッターカーテンの巻取り折りたたみの際には違ったものになることを確認することが必要である。
【００１０】
もちろん、ロールシャッターのシャッターカーテンが完全に広がりそして前記シャッターカーテンを構成する連結した薄板の間の透き目が閉まるとき、最初の回転の際に誘導電動機によってもたらされる負荷は少なく、また生まれるべきトルクそれ自体が低下する。しかしながら、もしロールシャッターのこのシャッターカーテンが部分的に広がった状態、だからと言って薄板の間の透き目が閉まることのないほとんど完全な状態に置かれるなら、これらの状況におけるロールシャッターの折り畳みの制御は、誘導電動機を非常に刺激するという結果を招く。この場合、この誘導電動機は、シャッターカーテンの重さが巻取り管に与える逆トルクに打ち勝つために、大きな始動トルクを生むことができなければならない。
【００１１】
したがって、ロールシャッターのこの応用分野において、通常要求される動力を大幅に超える公称動力の誘導電動機を利用することが通例である。
【００１２】
このことが追加費用となって現れるとすれば、それは電動化することが望まれるあらゆる種類のロールシャッターをカバーするために、複数の別の動力の誘導電動機に助けを求めるという有用性からも生じるものである。
【００１３】
そのうえ、誘導電動機の余分な動力は、結局始動の段階の間すなわち誘導電動機が最適な動作で機能しない一時的な段階を通じてしか有用でないものであるが、予期しない停止の場合にせよ作動中断制御の場合にせよ、ロールシャッターの機械系部品を非常に刺激する結果を招く。
【００１４】
とりわけ、ロールシャッターのシャッターカーテンを広げる行程あるいは折りたたむ行程の終わりに、例えば電流と電圧との間の位相差の測定値を通して、誘導電動機の停止を確保することが通例である。この位相差は、この場合シャッターカーテンの行程の終わりの下あるいは上の止め具への到着から生じる、誘導電動機に与えられる負荷の増大の結果である。これらの状況において、誘導電動機の電力供給停止の作用の前に、誘導電動機が、その必要以上の大きさのために、ロールシャッターの機械系部品を過大に強制することがよく分かる。
【００１５】
このタイプの誘導電動機が、通常は、電流の欠如によって機能する電磁ブレーキを備えていることに注目することがさらに必要である。もちろん、誘導電動機の動力が大きければ大きいほど、このブレーキはより刺激されてそれ相応に定数決定されなければならない。
【００１６】
主巻線と補助巻線とを有する誘導電動機によって発生するこの低い始動トルクについて、このことは公称電源条件、この場合公称電圧２３０ボルトおよび周波数５０ヘルツのもとであるが、交流電圧の変化の問題が付け加わる。言葉を換えれば、住居の電源ラインのこの電圧は、一定ではんなく、また２３０ボルトの公称値に等しいのではなく、変動しかねないのである。とりわけ、この電圧は、この公称電圧より低下しかねないのであり、またその場合、そのような誘導電動機が生む可能性のある始動トルクは、急速に、減少する傾向がある。
【００１７】
とりわけ、１８０ボルトを下回ると誘導電動機は多くの場合始動できないことを指摘することができた。したがって、ここでも、誘導電動機の定数決定の際に誘導電動機の電源電圧のこの変数を考慮にいれなければならない。
【００１８】
最後には、ロールシャッターの電動化が示すこれらの制約の全体を考慮にいれると、必然的に三相誘導電動機を利用する必要があるという結論にまで至る。
【００１９】
それに、特定の性能をもつ誘導電動機を追求したり、あるいは独特の制約に応えることを望むからには、平衡を保った三相誘導電動機に必然的に助けが求められるが、その三相誘導電動機には、通常、これらの要求の全体に応えることができるように、速度可変装置の形の電力変換器が結びついている。
【００２０】
しかしながら、速度可変付き三相誘導電動機の、ロールシャッターへのそのような応用について、当業者は、避けて通ることのできない要請か、あるいはほぼできない要請に直面していることを確認することしかできない、すなわちロールシャッターの巻取り管の中の、管状の誘導電動機がその収納のために利用することができる最大の断面である。
【００２１】
すなわち、三相誘導電動機は、そのように入れ込むことを可能にするには大き過ぎて入れ込むことができないような断面でできているのである。もちろん、この巻取り管のこの断面を増すことが考えられるが、しかしこのことは、巻き取られたときのロールシャッターのシャッターカーテンのより大きな断面が収まり、したがって中にロールシャッターのメカニズムのこの全体が収まるようになるケースのより大きな断面に至らせるのであって、その場合、建造物がそのような必要以上の大きさを与えられるケースを受け入れることができるように建造物の部位で発生する全ての影響は、予測されない。例えば壁の厚みの中へのそのようなケースを入れ込むことは不可能になるかもしれない。建造物の内部側面にブラケットにより取付けることによって、このかさばるケースは居住空間においてより突起するようになる。改装の場合には、より厚いケースは、それに応じて窓の部位で光の通過面積を減少させる。つまり、このことは、ロールシャッターのケースをできるだけ目立たなくすることそして建造物の中へのその同化を容易にすることにある現在の展開とは逆に向かうと言ってよい。
【００２２】
別の解決案は、そのような三相誘導電動機を、前記巻取り管の中に組み入れないで前記巻取り管の一端に配置することにある。ここでもまた、このことは、この誘導電動機によって作り出される余分な外形寸法に起因するロールシャッターのケースの横の拡大をもたらし、もちろんここでもまた結果として、建造物のところで想定されるべき特殊な改造が伴われる。
【００２３】
上記のことから確認できるように、三相誘導電動機は、ロールシャッターのシャッターカーテンの駆動に完璧に適合しているにもかかわらず、避けて通ることのできない寸法の制約という理由のために、この応用分野において利用されることはできなかった。
【発明の開示】
【発明が解決しようとする課題】
【００２４】
この確認に直面して、当業者としては、ロールシャッターの電動駆動の問題に技術的および経済的に応えることができると考えるただ一つの誘導電動機、すなわち単相コンデンサ誘導電動機に、必然的に解決への考えが向いた。
【課題を解決するための手段】
【００２５】
本発明が目指す対象となるものは、ロールシャッタータイプの電動開閉システムの働きを改善するだけでなくまた最適化することにもあり、このことは、二つの巻線のついた誘導電動機を通してなされるが、誘導電動機には、電力変換器の形の速度可変装置が結びついており、速度可変装置は、結果として、与えられる特徴のために、単一のコンデンサを通して主巻線と補助巻線の間で作りだされる位相差の影響を受けて、これらの誘導電動機が通常生み出すように仕向けられる始動トルクをかなり増すものである。
【００２６】
要するに、真に発明の進め方の範囲にあるものは、開閉のあらゆる考えられる状況におけるロールシャッターのシャッターカーテンの駆動が示すトルクの全ての制約を満たすために、速度可変装置によって管理される働きをもつ二相誘導電動機のおかげであるこの駆動を確保しようと考えついたのであり、三相誘導電動機に助けを求めることができなければ、ロールシャッターあるいは同様のシステムの駆動のために単相コンデンサ誘導電動機を利用するしか他に選択肢はないと考えていた当業者の先入観と習慣に反対することである。
【００２７】
いかなる速度可変装置も、二相誘導電動機には結びついていなかったが、それは、このタイプの誘導電動機が、その機能に対して必要以上の大きさを与えられた誘導電動機の利用が、対象物すなわちこのように電動化される取付けの総原価にほとんど影響をもたない応用に専用の、低い原価であるとみなされていたという限りにおいてであるからである。
【００２８】
だからこそ、検討される応用分野すなわちロールシャッタータイプの建物開閉システムにおける過剰な電動の影響を考慮に入れると、速度可変のシステムに組み合わされる二相誘導電動機のこの利用は、本明細書の以下の記載の続きのなかで明らかになることとなる無視できない利点を結果としてもたらすだけに、本分野において当業者によって克服されるべきかなりの疑義を有している。
【００２９】
好適な実施態様の一つによると、速度可変は、実効値電圧対周波数比の値をほぼ一定に保ちながら電源周波数を変化させることを目的とするスカラー制御の原理に基礎を置いており、この電気機械における一定の磁束、したがって、いかなる電源周波数についてもトルク値をスリップに関連づける関数を一定に保つことを目的としている。
【００３０】
とりわけ、組み込まれる電磁ブレーキ付き誘導電動機については、発明の第二の展開において、周波数に対する電圧の一定あるいはほぼ一定のこの関数にしたがって誘導電動機の働きを管理することをさらに考えついたが、これは極限のとき、とりわけ電圧がゼロではなく選ばれる始動の初期段階における極限のときを除く。実際は、この電圧は、これらの誘導電動機がロールシャッタータイプのこれらの建物開閉システムへの誘導電動機の適用のときに備えることができるこの電磁ブレーキの、解除を確保するのに十分に定義されたしきい値に等しい。
【発明を実施するための最良の形態】
【００３１】
本発明の他の目的および利点は、参考までに与えられまた非限定的な実施態様に関連する、続いていく記述の過程で明らかになるものである。
【００３２】
この記述の理解は、以下のような添付の図面を参照することによって容易になるでものである。
‐図１は、誘導電動機の概観図であって、同一の二つの巻線がついており、また本発明の第一の実施態様による速度可変装置を通して給電されている。
‐例示される図２は、本発明の第二の実施態様に相当する同様の図である。
‐図３は、図２と同様の図であって、本発明の第三の実施態様を示している。
‐図４は、図１および図２の例証であって、本発明の第三の実施態様に相当している。
‐図５は、実効値電圧対周波数比の一定の値を通した誘導電動機の速度可変の動作を、この速度可変の少なくとも一つの幅について、グラフによって表している。
【００３３】
本発明は、ロールシャッタータイプの建物開閉装置の駆動のための二相誘導電動機の応用に関するものである。本発明は、さらに、そのような開閉装置、とりわけ発明による誘導電動機を備えたロールシャッターにも関するものである。
【００３４】
非常に特徴的には、発明によると、誘導電動機１は、各図において簡略化されて示されるようなものであるが、二相タイプで二つの巻線２、３を有しており、これら二つの巻線は同一であることが好ましいが必ずしも同一である必要はない。これらの巻線２、３は、速度可変装置５を通して、電気エネルギーを供給する電源ライン４に接続されるが、この電力供給回路は、例えば住居のもので、従来のタイプの交流電源であり、例えば２３０ボルトの公称電圧および５０ヘルツの周波数をともなうものである。
【００３５】
有利には、この速度可変装置は、スカラー制御式であること、つまりこの速度可変の少なくとも一つの決まった幅について電圧対周波数比Ｖｅｆｆ／ｆの値を確保することができるように制御されている。
【００３６】
本発明の一つの実施態様によると、この速度可変装置５は、整流回路６とインバータ７とから成る、電力変換器の形を呈している。
【００３７】
整流回路６に関しては、図１において示される単純化された第一の実施態様において、二つのダイオード８ａ、８ｂのついたブリッジ回路８によって定義されており、このブリッジ回路には、容量性分圧器９が結びついており、この容量性分圧器は、ブリッジ回路８の両端子に直列に接続される第一のコンデンサ９ａと第二のコンデンサ９ｂから成るものである。一方、インバータ７は、スイッチングセル１０からなり、このスイッチングセルはダイオードのブリッジ回路８の端子にここでもまた接続されまたＩＧＢＴあるいはＭＯＳタイプの二つの直列の電力スイッチング素子１０ａ、１０ｂを有しており、この二つの直列の電力スイッチング素子は、誘導電動機１の電源を確保するために整流回路６の出力で整流される電流を所望の周波数で、オンオフを確保するようになるものである。このセルの中間点、すなわち、二つの電力スイッチング素子の間に、二つの巻線２、３がつながれており、ここに進相コンデンサ１１を通してつながれる。
【００３８】
この進相コンデンサ１１から解放されることを可能にするためには、インバータ７の制御は、誘導電動機１の供給電流の９０°位相差を課する。この着想は、二つのスイッチングセル１０、１０’の利用に導くが、この二つのスイッチングセルは、ダイオードのブリッジ回路８の両端子に接続され、またそれぞれが二つの電力スイッチング素子１０ａ、１０ｂ、１０’ａ、１０’ｂから成り、このことは図２において明白なとおりである。巻線２、３のそれぞれは、スイッチングセル、それぞれに１０、１０’の中間に接続されている。
【００３９】
有利な態様としては、インバータ７、したがって各電力スイッチング素子は、パルス幅変調いわゆるＰＷＭ制御によって制御され、このことは、誘導電動機１の誘導効果を受けて、ステータ電流を滑らかにして誘導電動機１の二つの巻線２、３の中を流れる電流を正弦波形にすることを結果としてもたらす。これらの二つの巻線２、３の給電の９０°の位相差が確保されるのは、制御のレベルであることに注目すべきである。要するに、ここでまさに二相誘導電動機の顕在に直面するのである。
【００４０】
容量性分圧器９が結びつく二つのダイオード８ａ、８ｂを有する単一のブリッジ回路８によって定義される整流回路６の採用は、Ｖｅ＝２ｘ２３０ｘ
2009535011.tif 000003
すなわち６５０ボルトの直流電圧を受けて電力スイッチング素子の両端子間に給電するように至らせるが、この直流電圧は２３０ボルトの交流電源を起点とするものである。
【００４１】
この問題を改善するために、また図３において示されるように、整流回路６は、四つのダイオード８ａ、８ｂ、８ｃ、８ｄを有する従来のブリッジ回路８とこれに結びついた唯一のフィルタコンデンサ１２に助けを求めなければならない。供給電圧はそのとき半分に減少されて、Ｖｅ＝２３０
2009535011.tif 000004
＝３２５Ｖとなる。したがって、各トランジスタについての電圧の印加は半分に減らされる。
【００４２】
そのような回路構成において、電力スイッチング素子ＩＧＢＴ１０ａ、１０ｂ；１０’ａ、１０’ｂのトランジスタのスイッチングは、電磁波環境を妨害しうる大きな電圧変化を作り出すことがあり、これは巻線２、３が電源ライン４に直接つながり、よって妨害波が電源ラインのところに直接さかのぼる可能性を与えるからである。
【００４３】
この不都合を改善するように、また、図４において示されるように、三相インバータ７に助けを求めることができるが、その三相インバータは、誘導電動機１の巻線２、３の接続分枝を通して図３の実施態様とは異なるものであり、その接続分枝は、整流される電源ライン４に直接つながれる代わりに、インバータ７の第三のスイッチングセル１０’’につながれる。その他二つに平行なこの第三のセル１０’’は、その他二つのセルの場合と同様に、二つの電力スイッチング素子ＩＧＢＴあるいはＭＯＳ１０’’ａ、 １０’’ｂを有し、それら二つの電力スイッチング素子の間に巻線２、３が接続されるようになる。
【００４４】
発明に特有の特徴によると、速度可変装置５は、この変速の際に実効値電圧対周波数比の値をほぼ一定に維持するためにスカラー制御であるにしても、このことは、しきい値の電圧Ｖｓを超えてまた、好ましくは、あらかじめ定義される最大電圧ＶＭまでに位置する幅においてのみの場合であり、図５のグラフが簡略に分かりやすく説明したいのはこういうことである。
【００４５】
この特徴は、誘導電動機が、組み込まれる電磁ブレーキを備える際に非常に独特な利益を示すのであり、その電磁ブレーキは、電流がないことによって機能するものであり、また、始動の初期段階でのそのブレーキ解除を確保することが必要であるものである。非常に特徴的には、この始動の初期段階の間中、誘導電動機１の給電の初期段階からすぐに電磁ブレーキの解除を確保するために、決まった電源周波数ｆｓに対するしきい値の電圧Ｖｓが誘導電動機に適用される。次に、周波数（場合によっては電圧）を、Ｖ／ｆ比が速度可変の過程で守ることが望まれる定数の値に達するまで、変化させる。それ以上は、電圧と周波数は同時に変化していく。始動のこの第一の過程は、図５のグラフの曲線上の平坦部１３を通して図示された。
【００４６】
有利には、Ｖｅｆｆ／ｆ比のこの定数は、電源ライン４での実効値電圧の、この電源ラインの公称周波数に対する値に等しい、すなわち例えば、２３０ボルト／５０ヘルツである。
【００４７】
さらにこのグラフが図示するように、試験により、少なくとも１０ボルト、好ましくは、およそ５０ボルトから７０ボルトまでの供給電圧が電磁ブレーキの解除を得ることができることが解き明かされた。
【００４８】
正確には、本発明から生じる利点のうちの一つは、ブレーキを起こすこの力が、電源ラインを通して直接給電される誘導電動機と比べるとより低い始動周波数のために、確かにより大きいことにある。
【００４９】
したがって、この電磁ブレーキは、現在の誘導電動機においてはいちじるしい磨耗性の部品であるが、この場合においては非常に容易に最適化されることができる。
【００５０】
とりわけ、この電磁ブレーキがその構想において補強されることができるのは、寿命の増大だけでなく、より小さい慣性で反応してロールシャッターの駆動メカニズムのより優れた停止を得るためであることに寄与することが大きく、これは、必然的に安全性の増大をもたらすのである。
【００５１】
有利な態様としては、誘導電動機１の最大供給電圧ＶＭは、これを超えるとＶｅｆｆ／ｆ比の値が、もはや一定には保たれないものであるが、電源ライン４の電圧の実効値たとえば２３０ボルトに相当する。ただし、ここで注意すべきことには、この電圧ＶＭについていかなる値を採用することができることであり、本発明は、上記の値には全く限定されるものではない。
【００５２】
比較すると、周波数の変化に関しては、これは電力スイッチング素子のスイッチング制御によるものであるが、その周波数が電源ラインの周波数を大幅に超えることが可能である。
【００５３】
その点に関して、２３０ボルト５０ヘルツタイプの電源ラインのもと、ただ一組の極を備えた主巻線および補助巻線のついた誘導電動機が３０００回転／分の回転速度を必然的に受けていたという範囲において、本発明に係る速度可変装置５は、より低い回転速度によってより大きなトルクに導くものであるが、これらの誘導電動機により低い最大回転速度たとえばおよそ１５００回転／分の速さを付すことを計画することを可能にすることに気づく必要がある。
【００５４】
このことは、電磁振動および機械振動の顕著な減少を結果としてもたらし、ここでもまた電磁ブレーキの反応性のレベルでの慣性での利得、およびより少ない回転輪のすべりという利得を伴うものであった。そのことに、本発明の利点が、損失率の低下、つまり、より高い機械的効率を可能にすることを付け加えなければならない。
【００５５】
最後に、本発明に係る速度可変装置が、ロールシャッタータイプの開閉システムの開閉制御のさまざまな段階の過程で、減速および加速を実行して、騒音、とりわけ止め具への激しい到着の力による音を避けることができることがさらに観察されるものである。
【００５６】
この利点は、もちろん、機械系装置への働きかけをより少なくするように仕向けるという結果をもたらし、その機械系装置の寿命は実際に改善される。
【００５７】
とりわけロールシャッターの駆動に特有の制約に応えながらも、この二相誘導電動機は、そのようなロールシャッターのシャッターカーテンの巻取り管の中に収められることができるように管状の形状を採用することができる。すなわち、この誘導電動機は、三相誘導電動機の性能に匹敵する性能をもつが、その外形寸法を引きずるものではなく、進相コンデンサ付き単相誘導電動機に相当する寸法を保つ。
【００５８】
以上の記述から分かるように、本発明は、ロールシャッタータイプの建物の開閉システムのこの電動の分野において顕著な進歩をもたらす。
【図面の簡単な説明】
【００５９】
【図１】本発明に係る誘導電動機と速度可変装置の概略図
【図２】本発明の第二の実施態様の概略図
【図３】本発明の第三の実施態様の概略図
【図４】本発明の第四の実施態様の概略図
【図５】実効値電圧対周波数比の一定の値を通した誘導電動機の速さの変化の管理を、この変化の少なくとも一つの幅について、グラフによって表した図
【符号の説明】
【００６０】
１  誘導電動機
２  主巻線
３  補助巻線
４  電源ライン
５  速度可変装置
６  整流回路
７  インバータ
８  ブリッジ回路
９  容量性分圧器
１０  電力スイッチング素子
１１  進相コンデンサ
１２  フィルタコンデンサ
【図１】
2009535011.tif 000005
【図２】
2009535011.tif 000006
【図３】
2009535011.tif 000007
【図４】
2009535011.tif 000008
【図５】
2009535011.tif 000009
【国際調査報告】
2009535011.tif 000010
2009535011.tif 000011
2009535011.tif 000012
2009535011.tif 000013
2009535011.tif 000014
2009535011.tif 000015